(57)【要約】  本開示の実施形態は、一般に、リソグラフィマスクの表面から接着剤残留物を除去するための装置および方法を含む。特に、本明細書に記載の処理システムは、リソグラフィマスクの表面から接着剤残留物を除去しやすくするために、リソグラフィマスクの表面の別個の複数の場所に溶媒を送り出すことを可能にする。１つの実施形態において、基板を処理する方法は、処理システムの基板支持体に基板を位置付けることと、複数の洗浄ユニットの個々のものを対応する複数の場所で基板の表面に封止することと、洗浄流体を約５０℃と約１５０℃との間の温度に加熱することと、洗浄流体を複数の洗浄ユニットに流し、その後、複数の洗浄ユニットから流すことと、基板の表面を複数の場所で洗浄流体にさらすこととを含む。【選択図】図２Ａ
2021532404.tif 000002
【特許請求の範囲】
【請求項１】
基板を処理する方法であって、
処理システムの基板支持体に基板を位置付けることと、
複数の洗浄ユニットの個々のものを対応する複数の場所で前記基板の表面に封止することと、
洗浄流体を約５０℃と約１５０℃との間の温度に加熱することと、
前記洗浄流体を前記複数の洗浄ユニットに流し、続いて、その後、前記複数の洗浄ユニットから流すことと、
前記基板の前記表面を前記複数の場所で前記洗浄流体にさらすことと
を含む、方法。
【請求項２】
前記洗浄流体が、ジメチルスルホキシド、１−フェノキシプロパン−２−オール、１−メチル−２−ピロリジノン、２−フェノキシエタノール、４−ノニルフェノール、ジクロルメタン、ジメチルホルムアミド、ジクロルメタン、メタノール、石油留出物、またはそれらの組合せのうちの１つを含む、請求項１に記載の方法。
【請求項３】
前記基板が、
複数の繰り返しの金属およびシリコン層を含む多層スタックと、
前記多層スタック上に配置されたパターン化吸収体層と
を含む、請求項１に記載の方法。
【請求項４】
前記処理システムが、
処理容積に配置された前記基板支持体と、
前記基板支持体の基板受取り面に面する流体分配アセンブリであり、前記流体分配アセンブリが、
入口および出口を有する分配シャフト、
前記分配シャフトに結合されたマニホールド、ならびに
前記マニホールドに結合された前記複数の洗浄ユニット
を含む、流体分配アセンブリと
を含む、請求項１に記載の方法。
【請求項５】
前記複数の洗浄ユニットの各々が、
第１の導管と、
前記第１の導管内に配置された第２の導管であり、前記第２の導管の端部が前記第１の導管の端部から引っ込められている、第２の導管と、
前記第１の導管の前記端部に配置されたガスケットと
を含む、請求項４に記載の方法。
【請求項６】
前記第１の導管および前記第２の導管が、前記分配シャフトの前記入口から前記出口まで延びる流体流れ経路の一部分を画定する、請求項５に記載の方法。
【請求項７】
基板を処理する方法のための命令が格納されたコンピュータ可読媒体であって、前記方法が、
処理システムの基板支持体に前記基板を位置付けることと、
複数の洗浄ユニットを対応する複数の場所で前記基板の表面に封止することと、
洗浄流体を約５０℃と約１５０℃との間の温度に加熱することと、
前記洗浄流体を前記複数の洗浄ユニットに流し、その後、前記複数の洗浄ユニットから流すことと、
前記基板の前記表面を前記複数の場所で前記洗浄流体にさらすことと
を含む、コンピュータ可読媒体。
【請求項８】
前記処理システムが、
処理容積に配置された前記基板支持体と、
前記基板支持体の基板受取り面に面する流体分配アセンブリであり、前記流体分配アセンブリが、
入口および出口を有する分配シャフト、
前記分配シャフトに結合されたマニホールド、ならびに
前記マニホールドに結合された前記複数の洗浄ユニット
を含む、流体分配アセンブリと
を含む、請求項７に記載のコンピュータ可読媒体。
【請求項９】
前記複数の洗浄ユニットのうちの１つまたは複数が、
第１の導管と、
前記第１の導管内に配置された第２の導管であり、前記第２の導管の端部が前記第１の導管の端部から引っ込められている、第２の導管と、
前記第１の導管の前記端部に配置されたガスケットと
を含む、請求項８に記載のコンピュータ可読媒体。
【請求項１０】
前記第１の導管および前記第２の導管が、前記分配シャフトの前記入口から前記出口まで延びる流体流れ経路の一部分を画定する、請求項９に記載のコンピュータ可読媒体。
【請求項１１】
処理容積に配置された基板支持体と、
前記基板支持体の基板受取り面に面する流体分配アセンブリであり、前記流体分配アセンブリが、
入口および出口を有する分配シャフト、
前記分配シャフトに結合されたマニホールド、ならびに
前記マニホールドに結合された複数の洗浄ユニットであり、前記基板支持体および前記流体分配アセンブリが基板処理モードで配置されるとき、前記複数の洗浄ユニットの各々が、処理されるべき基板に封止された状態になる、複数の洗浄ユニット
を含む、流体分配アセンブリと
を含む処理システム。
【請求項１２】
支持シャフトをさらに含み、前記基板支持体が前記支持シャフトに配置され、前記支持シャフトが、前記処理システムのベースを通して移動可能に配置される、請求項１１に記載の処理システム。
【請求項１３】
前記分配シャフトの前記入口と流体連結して配置された流体ヒータをさらに含む、請求項１１に記載の処理システム。
【請求項１４】
前記複数の洗浄ユニットのうちの１つまたは複数が、
第１の導管と、
前記第１の導管内に配置された第２の導管であり、前記第２の導管の端部が前記第１の導管の端部から引っ込められている、第２の導管と、
前記第１の導管の前記端部に配置されたガスケットと
を含む、請求項１１に記載の処理システム。
【請求項１５】
前記第１の導管および前記第２の導管が、前記分配シャフトの前記入口から前記出口まで延びる流体流れ経路の一部分を画定する、請求項１４に記載の処理システム。
【発明の詳細な説明】
【技術分野】
【０００１】
本明細書に記載の実施形態は、一般に、半導体デバイス製造の分野に関し、特に、リソグラフィマスクの表面から接着剤残留物を除去するために使用される方法および装置に関する。
【背景技術】
【０００２】
半導体デバイス製造は、一般に、ワークピース、例えば、シリコンウエハの表面上に、表面の上に、および表面内に複数の相互接続されたパターン化材料層を形成することを含む。パターン化材料層の各々は、ワークピース表面、またはワークピース表面に配置された以前に堆積された材料層をパターン化することを含む一連の製造プロセスを使用して形成される。多くの場合、ワークピース表面、またはワークピース表面に配置された以前に堆積された材料層は、リソグラフィプロセスを使用してパターン化される。典型的なリソグラフィプロセスは、リソグラフィマスクの表面に形成されたパターンを、ワークピース表面を被覆するレジスト層、またはワークピース表面に配置された以前に堆積された材料層を被覆するレジスト層に転写することを含む。
【０００３】
リソグラフィプロセスで使用されるリソグラフィマスクアセンブリは、一般に、リソグラフィマスクと、そのパターン化表面上に配置された保護ペリクルとを含む。ペリクルは、薄い透明な膜、すなわち、ペリクルがリソグラフィマスクに固定されたときにリソグラフィマスクのパターン化表面の上に延びるペリクル膜を含む。ペリクル膜は、一般に、エポキシ樹脂などの接着剤によってリソグラフィマスクのパターン化表面に固定されたペリクルフレームに装着される。ペリクル膜は、リソグラフィマスクのパターン化表面が、取扱い中に接触され、それによって、掻き傷をつけられることから、および塵埃などの環境汚染物にさらされることから保護する。一般に、ペリクル膜は、ペリクルフレームによってリソグラフィマスクの表面から離間され、その結果、リソグラフィマスクパターンが基板のレジスト層に転写されるとき、ペリクル膜上に溜まった粒子、例えば、塵埃は、焦点場（ｆｉｅｌｄ  ｏｆ  ｆｏｃｕｓ）にない。
【０００４】
ペリクルは、望ましくは、リソグラフィマスクの使用寿命を延ばし、一般に、リソグラフィマスクに関連する洗浄または改修プロセス中に交換される。一般に、使用済みペリクルは、リソグラフィマスクから分離され、リソグラフィマスクの洗浄または改修の前に廃棄される。使用するペリクルフレームをリソグラフィマスク表面に固定するために使用された接着剤からの残留物は、マスクのパターン化表面への接着剤残留物の望ましくない移動を防止するために、マスクのパターン化表面の後続の洗浄の前に、多くの場合、除去される。残念なことに、次世代の真空極紫外（ＥＵＶ）リソグラフィ装置で使用するのに適する比較的低い揮発性の接着剤は、ＥＵＶリソグラフィマスク面から、それへの損傷を引き起こすことなく、除去することが困難であることが分かっている。
【発明の概要】
【発明が解決しようとする課題】
【０００５】
したがって、当技術分野には、リソグラフィマスクの表面から接着剤を除去するための改善されたシステムおよび方法への必要性がある。
【課題を解決するための手段】
【０００６】
本開示の実施形態は、一般に、リソグラフィマスクの洗浄または改修の前にリソグラフィマスクの表面から接着剤残留物を除去するための装置および方法を含む。特に、本明細書に記載の処理システムは、リソグラフィマスクの表面から接着剤残留物を除去しやすくするために溶媒をリソグラフィマスクの表面の選択した場所に送り出すことを可能にする。
【０００７】
１つの実施形態において、基板を処理する方法は、処理システムの基板支持体に基板を位置付けることと、複数の洗浄ユニットの個々のものを対応する複数の場所で基板の表面に封止することと、洗浄流体を約５０℃と約１５０℃との間の温度に加熱することと、洗浄流体を複数の洗浄ユニットに流し、その後、複数の洗浄ユニットから流すことと、基板の表面を複数の場所で洗浄流体にさらすこととを含む。
【０００８】
別の実施形態において、コンピュータ可読媒体は、そこに格納した基板を処理する方法のための命令を有する。この方法は、処理システムの基板支持体に基板を位置付けることと、複数の洗浄ユニットの個々のものを対応する複数の場所で基板の表面に封止することと、洗浄流体を約５０℃と約１５０℃との間の温度に加熱することと、洗浄流体を複数の洗浄ユニットに流し、その後、複数の洗浄ユニットから流すことと、基板の表面を複数の場所で洗浄流体にさらすこととを含む。
【０００９】
別の実施形態において、処理システムは、処理容積に配置された基板支持体と、基板支持体の基板受取り面に面する流体分配アセンブリとを含む。流体分配アセンブリは、入口および出口を有する支持シャフトと、支持シャフトに結合されたマニホールドと、マニホールドに結合された複数の洗浄ユニットとを含む。ここで、基板支持体および流体分配アセンブリが基板処理モードで配置されるとき、洗浄ユニットの個々のものが、処理されるべき基板に封止された状態になる。
【００１０】
本開示の上記の特徴を詳細に理解することができるように、実施形態を参照することによって、上述で簡潔に要約した本開示のより具体的な説明を得ることができ、実施形態の一部は、添付の図面に示される。しかしながら、添付の図面は、本開示の典型的な実施形態のみを示しており、それゆえに、本開示は他の等しく効果的な実施形態を認めることができるので、本開示の範囲の限定と考えられるべきでないことに留意されたい。
【図面の簡単な説明】
【００１１】
【図１Ａ】１つの実施形態による、例示的なフォトマスクアセンブリの概略等角図である。
【図１Ｂ】ライン１Ｂ−１Ｂに沿って得られた図１Ａに示されたフォトマスクアセンブリの断面図である。
【図２Ａ】１つの実施形態による、本明細書に記載の方法を実施するように構成された処理システムの概略断面図である。
【図２Ｂ】１つの実施形態による、ライン２Ｂ−２Ｂに沿って得られた図２Ａに示された流体分配アセンブリの断面図である。
【図２Ｃ】１つの実施形態による、図２Ａに示された処理システムの一部分の断面の拡大図である。
【図３】１つの実施形態による、基板の表面から接着剤残留物を洗浄する方法を記載する流れ図である。
【発明を実施するための形態】
【００１２】
理解しやすくするために、同一の参照番号が、可能であれば、図に共通する同一の要素を示すために使用されている。１つの実施形態の要素および特徴は、さらなる詳述なしに、他の実施形態に有益に組み込むことができると考えられる。
【００１３】
本開示の実施形態は、一般に、リソグラフィマスクの洗浄または改修の前にリソグラフィマスクの表面から接着剤残留物を除去するための装置および方法を含む。特に、本明細書に記載の処理システムは、リソグラフィマスクの表面から接着剤残留物を除去しやすくするために溶媒をリソグラフィマスクの表面の選択した場所に送り出すことを可能にする。
【００１４】
図１Ａは、１つの実施形態による、例示的なリソグラフィマスクアセンブリの概略等角図である。図１Ｂは、ライン１Ｂ−１Ｂに沿って得られた図１Ａのリソグラフィマスクアセンブリの概略断面図である。一般に、リソグラフィマスクアセンブリ１００は、リソグラフィマスク１０１およびペリクル１０２を含み、ペリクル１０２は、それらの間に置かれた複数の接着性パッチ１０３によってリソグラフィマスク１０１に固定される。いくつかの実施形態では、リソグラフィマスク１０１は、極紫外（ＥＵＶ）リソグラフィ処理システムで使用するように構成され、基板１０４、基板１０４上に配置された反射多層スタック１０５、反射多層スタック１０５上に配置されたキャッピング層１０７、およびキャッピング層１０７上に配置された吸収体層１０８を特徴とする。いくつかの実施形態では、基板１０４は、チタンドープ溶融石英などの低熱膨張材料（ＬＴＥＭ）を含む。いくつかの実施形態では、反射多層スタック１０５は、複数の繰り返しのＭｏおよびＳｉ層、すなわち、複数のＭｏ／Ｓｉ層などの複数の繰り返しの金属およびシリコン層を含む。いくつかの実施形態では、反射多層スタック１０５は、金属とシリコンとの約４０個を超える交互層を含み、約２００ｎｍと約２５０ｎｍとの間の厚さを有する。いくつかの実施形態では、吸収体層１０８は、ＴａＢＯ層、ＴａＢＮ層、またはそれらの多層スタック、例えば、ＴａＢＮ層上に配置されたＴａＢＯ層などのタンタル（Ｔａ）を含む材料から形成される。いくつかの実施形態では、吸収体層１０８は、約５０ｎｍと約８０ｎｍとの間の厚さを有する。いくつかの実施形態では、キャッピング層１０７は、ルテニウム（Ｒｕ）から形成され、約１ｎｍと約５ｎｍとの間の厚さ、例えば、約２．５ｎｍの厚さを有する。
【００１５】
ここで、複数の開口１０９が形成されている吸収体層１０８は、リソグラフィマスク１０１のパターン化表面を形成する。ここで、開口１０９の個々のものは、吸収体層１０８を通って延び、その下に配置されたキャッピング層１０７を露出させる。他の実施形態では、開口１０９の個々のものは、キャッピング層１０７を通ってさらに延び、その下に配置された反射多層スタック１０５を露出させる。いくつかの実施形態では、リソグラフィマスク１０１は、１つまたは複数のブラックボーダ開口（ｂｌａｃｋ−ｂｏｒｄｅｒ  ｏｐｅｎｉｎｇ）１０６、すなわち、吸収体層１０８、キャッピング層１０７、および反射多層スタック１０５を通って延びる１つまたは複数の開口を含む。
【００１６】
一般に、ペリクル１０２は、薄い（例えば、厚さが２００ｎｍ未満）透明な膜、本明細書ではペリクル膜１１０を含み、ペリクルフレーム１１１を横切って延び、それらの間に置かれた接着剤層（図示せず）によってペリクルフレーム１１１に固定される。本明細書では、ペリクル膜１１０は、リソグラフィマスク１０１の表面から距離Ａだけ離間される。ペリクルフレーム１１１は、リソグラフィマスク１０１の表面から接着性パッチ１０３の厚さだけ、本明細書では、約１ｍｍ未満、例えば、約１０μｍと約５００μｍとの間などの距離Ｂだけ離間される。ここで、接着性パッチ１０３は、基板１０４の表面に直接に配置される。他の実施形態では、接着性パッチ１０３は、反射多層スタック１０５の表面に直接に配置される。他の実施形態では、接着性パッチ１０３は、吸収体層１０８の表面に直接に配置される。
【００１７】
リソグラフィマスク１０１の表面からのペリクル膜１１０の間隔は、望ましくは、リソグラフィマスクパターンがワークピースのレジスト膜に転写されるとき、ペリクル膜１１０の上に溜まった粒子、例えば、塵埃が焦点場に存在しないようにする。リソグラフィマスクの表面からのペリクルフレーム１１１の離間により、望ましくは、洗浄ガス、例えば、空気が、ペリクルとリソグラフィマスクとの間を流れることが可能になる。ペリクルとリソグラフィマスクとの間のガスの自由な流れは、望ましくは、壊れやすいペリクル膜１１０を破裂させることがある真空ＥＵＶリソグラフィプロセス中の膜の反対側の面への不均等な圧力を防止する。本明細書の実施形態では、ペリクル１０２をリソグラフィマスク１０１の表面に固定するために使用される接着性パッチ１０３は、ペリクルフレーム１１１の角に隣接した場所などの別個の複数の場所にところどころに配置される。例えば、いくつかの実施形態では、リソグラフィマスクは、断面が四角い形状であり、リソグラフィマスクの各辺は、約１００ｍｍと約３００ｍｍとの間の、例えば、約１５０ｍｍの長さＣを有する。ペリクルフレーム１１１の辺は、それに直交する角度で測定したとき、約０ｍｍと約３０ｍｍとの間の距離Ｄだけリソグラフィマスク１０１の辺の内側に配置される。ここで、複数の接着性パッチ１０３は、フレームの角に配置され、約７０ｍｍと約１４０ｍｍとの間の中心間距離Ｆを有する。
【００１８】
ペリクルフレーム１１１を含むペリクル１０２は、多くの場合、ペリクル膜１１０の表側面および裏側面への粒子の蓄積、ペリクル膜１１０への損傷のためにリソグラフィマスク１０１の使用寿命中に、またはリソグラフィマスク１０１の他の修理もしくは改修処理中に交換される。使用済みペリクル１０２がリソグラフィマスク１０１の表面から取り除かれたとき、接着性パッチ１０３からの少なくとも若干の望ましくない残留物が、それに対応する別個の複数の場所でリソグラフィマスクの表面に残ることになる。残念なことに、リソグラフィマスクの表面に残っている望ましくない残留物は、後続の洗浄プロセスまたは改修プロセス中にリソグラフィマスクの表面の他の領域に移ることになる。望ましくなく移った残留物は、マスクを使用不能にするか、またはマスクを洗浄もしくは改修するコストおよび複雑さを増加させる可能性がある。さらに、除去されない残留物は、リソグラフィマスク表面と、続いて装着されるペリクルの膜との間の距離Ａの望ましくない変動をもたらし、それに関連するプロセス欠陥を引き起こすか、または改修されたマスクアセンブリを使用不能にすることがある。それゆえに、本明細書の実施形態は、図２Ａ〜図２Ｃに記載の処理システム、および図３に記載の方法を提供し、それらは、リソグラフィマスクの複数の選択した場所から望ましくない接着剤残留物を除去しやすくする。
【００１９】
図２Ａは、１つの実施形態による、本明細書に記載の方法を実施するように構成された処理システムの概略断面図である。図２Ｂは、１つの実施形態による、ライン２Ｂ−２Ｂに沿って得られた図２Ａに示された流体分配アセンブリの断面図である。図２Ｃは、１つの実施形態による、図２Ａに示された処理システムの一部分の断面の拡大図である。
【００２０】
本明細書では、処理システム２００は、本体２０１、リッド２０２、１つまたは複数の側壁２０３、およびベース２０４を含み、それらは、集団で、処理容積２０５の境界を画定する。処理容積２０５に配置された基板支持体２０６は、ベース２０４を通って延びる支持シャフト２０７に配置される。処理システム２００は、１つまたは複数の側壁２０３の開口２０９を通して基板支持体２０６におよび基板支持体２０６から図１Ａ〜図１Ｂに記載のリソグラフィマスク１０１などの基板２０８を移送しやすくするように構成される。いくつかの実施形態では、開口２０９は、基板処理の間、ドア２１０により封止される。
【００２１】
本明細書では、処理システム２００は、基板支持体２０６の上方に配置された流体分配アセンブリ２１１をさらに含む。流体分配アセンブリ２１１は、流体分配シャフト２１２、流体分配シャフト２１２に結合されたマニホールド２１５、およびマニホールド２１５に結合された複数の洗浄ユニット２１６を特徴とする。いくつかの実施形態、例えば、処理容積が真空状態に維持される実施形態などでは、流体分配シャフト２１２は、リッド２０２を通して密封的に配置される。例えば、いくつかの実施形態では、ベローズ（図示せず）が、処理容積２０５の内部または外部で流体分配シャフト２１２を囲む。それらの実施形態のうちのいくつかでは、処理容積２０５は、１つまたは複数の専用真空ポンプなどの真空に流体的に結合される。
【００２２】
ここで、流体は、入口２１３を通って流体分配アセンブリ２１１に入り、出口２１４を通って流体分配アセンブリ２１１を出て行く。マニホールド２１５は、入口２１３を通して受け取った流体を複数の洗浄ユニット２１６に、それらの間を流体連結して配置された複数の分配導管２１７を使用して分配する。マニホールド２１５は、さらに、複数の洗浄ユニット２１６から受け取った流体を出口２１４に、それらの間を流体連結して配置された複数の戻り導管２２５を使用して導いて戻す。
【００２３】
いくつかの実施形態では、マニホールド２１５は、その中心軸からそれぞれの複数の洗浄ユニット２１６まで半径方向に延びる複数のアーム２５０（図２Ｂに示される）を含む。ここで、複数のアーム２５０の各々は、アームの中に形成された戻り導管２２５と、戻り導管２２５に配置された分配導管２１７、例えば、それを通して形成された開口を有する管などを有する。他の実施形態では、マニホールド２１５は、その中にそれぞれ配置および形成された複数の分配導管２１７および戻り導管２２５によって、複数の洗浄ユニット２１６と分配シャフトとの間の流体連結を容易にする任意の他の適切な形状のものである。いくつかの実施形態では、入口２１３は、それを通して配置された開口を有する管を含み、複数の分配導管２１７は、スパイダ取付け具２５１（図２Ｂに示される）を使用して入口２１３に流体的に結合される。
【００２４】
ここで、複数の洗浄ユニット２１６（図２Ｃにさらに記載される）が、基板２０８の表面での対応する複数の場所の上方に位置付けられる。ここで、複数の場所の各々は、基板２０８の表面にある除去されるべき接着剤残留物２４４（図２Ｃ示される）を有する。本明細書では、処理システム２００の構成要素が基板処理モードで（図示のように）配置されるとき、複数の洗浄ユニット２１６が基板２０８の表面に封止される。基板処理モードで構成要素を位置付けることには、支持シャフト２０７または流体分配シャフト２１２にそれぞれ結合された第１のアクチュエータ２２６または第２のアクチュエータ２２７の一方または両方を使用して、支持シャフト２０７を持ち上げることまたは流体分配シャフト２１２を下げることの一方または両方が含まれる。いくつかの実施形態では、流体分配シャフト２１２は、基板２０８への複数の洗浄ユニットの封止を容易にするために、ジンバル結合などの可撓性結合２２９を使用して、マニホールド２１５に密封的に結合される。
【００２５】
いくつかの実施形態では、支持シャフト２０７は、それを通して配置された垂直軸のまわりに回転可能である。それらの実施形態では、基板処理モードで構成要素を位置付けることには、基板上にある接着剤残留物パッチが、望ましくは、複数の洗浄ユニット２１６と位置合わせされるまで支持シャフトを回転させることが含まれる。
【００２６】
ここで、入口２１３は、洗浄流体源２１８、すなわち、溶媒、脱イオン水またはイソプロピルアルコール（ＩＰＡ）などのリンス流体源２２０、および清浄な乾燥空気（ＣＤＡ）またはＮ2などの乾燥ガス源２２３などの１つまたは複数の流体源に流体的に結合される。それぞれの流体源２１８、２２０、および２２３からの洗浄流体、リンス流体、および乾燥ガスが、流体源と入口２１３との間に流体的に結合された導管または入口２１３につながる導管に配置されたバルブ２２２を使用して入口２１３に選択的に送り出される。いくつかの実施形態では、処理システム２００は、洗浄流体源２１８と入口２１３との間に配置され、洗浄流体源２１８と入口２１３とに流体連結したヒータ２１９をさらに含む。いくつかの実施形態では、洗浄流体源２１８は容器であり、洗浄流体は出口２１４からその中に再循環される。いくつかの実施形態では、ヒータ２１９は、洗浄流体容器が中に配置されたウォーターバスもしくはオイルバス、またはシェルアンドチューブ型熱交換器である。いくつかの実施形態では、リンス流体または乾燥ガスは、それぞれ、出口２１４からドレイン２２４または排気部２２１に、それらの間に流体的に結合された導管に配置されたバルブ２２２を使用して導かれる。
【００２７】
一般に、処理システム２００の動作および制御は、それに結合されたシステムコントローラ２３０を使用して促進される。システムコントローラ２３０は、メモリ２３２（例えば、不揮発性メモリ）とサポート回路２３３とを用いて動作可能なプログラム可能な中央処理装置（ＣＰＵ２３１）を含む。サポート回路２３３は、従来通り、ＣＰＵ２３１に結合され、処理システム２００の制御を容易にするために処理システム２００の様々な構成要素に結合されたキャッシュ、クロック回路、入出力サブシステム、電源など、およびそれらの組合せを含む。ＣＰＵ２３１は、処理システム２００の様々な構成要素およびサブプロセッサを制御するための、プログラム可能な論理制御装置（ＰＬＣ）などの工業環境で使用される任意の形態の汎用コンピュータプロセッサのうちの１つである。ＣＰＵ２３１に結合されたメモリ２３２は、非一過性であり、一般に、ランダムアクセスメモリ（ＲＡＭ）、読出し専用メモリ（ＲＯＭ）、フロッピーディスクドライブ、ハードディスク、またはローカルまたはリモートの任意の他の形態のデジタルストレージなどの容易に利用可能なメモリのうちの１つまたは複数である。
【００２８】
ここで、メモリ２３２は、ＣＰＵ２３１によって実行されたときに処理システム２００の動作を促進する命令を含むコンピュータ可読記憶媒体の形態のもの（例えば、不揮発性メモリ）である。メモリ２３２内の命令は、本開示の方法を実施するプログラムなどのプログラム製品の形態のものである。プログラムコードは、いくつかの異なるプログラミング言語のうちの任意の１つに準拠することができる。１つの例では、本開示は、コンピュータシステムで使用するためにコンピュータ可読記憶媒体に格納されたプログラム製品として実現することができる。プログラム製品のプログラムは、実施形態の機能（本明細書に記載の方法を含む）を規定する。
【００２９】
例示的なコンピュータ可読記憶媒体は、限定はしないが、（ｉ）情報が恒久的に格納される書き込み不可能なストレージ媒体（例えば、ＣＤ−ＲＯＭドライブによって可読なＣＤ−ＲＯＭディスク、フラッシュメモリ、ＲＯＭチップ、または任意のタイプの固体不揮発性半導体メモリなどのコンピュータ内の読出し専用メモリデバイス）、および（ｉｉ）変更可能な情報が格納される書き込み可能ストレージ媒体（例えば、ディスケットドライブもしくはハードディスクドライブ内のフロッピーディスク、または任意のタイプの固体ランダムアクセス半導体メモリ）を含む。そのようなコンピュータ可読ストレージ媒体は、本明細書に記載の方法の機能を指示するコンピュータ可読命令を記憶している場合、本開示の実施形態である。いくつかの実施形態では、本明細書に記載の方法、またはその一部は、１つまたは複数の特定用途向け集積回路（ＡＳＩＣ）、フィールドプログラマブルゲートアレイ（ＦＰＧＡ）、または他のタイプのハードウェア実施態様によって実行される。いくつかの他の実施形態では、本明細書に記載のプロセスは、ソフトウェアルーチン、ＡＳＩＣ、ＦＰＧＡ、および／または他のタイプのハードウェア実施態様の組合せによって実行される。
【００３０】
図２Ｃは、１つの実施形態による、洗浄ユニット２１６の断面を示す図２Ａの一部分の拡大図である。ここで、洗浄ユニット２１６は、第１の外側導管２４０と、第１の導管２４０の内部で延びる第２の内側導管２４１とを含む。一般に、第２の導管２４１の端部は、約１ｍｍと約２０ｍｍとの間の距離Ｈだけ第１の導管２４０の端部の内側に引っ込められている。ここで、第１の導管２４０は、基板２０８の表面にある除去されるべき接着剤残留物２４４の直径よりも大きい内径Ｇ、例えば、約１ｍｍと約２０ｍｍとの間などを有する。基板処理の間、第１の導管２４０の端部に配置されたＯリング、ベローズ、またはワイパーシールなどのガスケット２４３は、基板２０８に接触し、洗浄ユニット２１６の端部を基板２０８に封止する。例えば、いくつかの実施形態では、ガスケット２４３は、基板２０８に配置された層に形成された開口を通して基板２０８の表面、例えば、図１Ｂに記載の基板１０４の表面などに接触する。他の実施形態では、ガスケット２４３は、吸収体層１０８に形成された開口を通して反射多層スタック１０５の表面に接触する。洗浄ユニット２１６の端部が基板２０８に封止されるとき、すなわち、処理システムの構成要素が基板処理モードで配置されるとき、第１の導管２４０と、第２の導管２４１と、ガスケット２４３によって囲まれた基板２０８の部分とは、集団で、流体流れ経路２４２を画定することになる。
【００３１】
図３は、図１Ａ〜図１Ｂに記載のリソグラフィマスク１０１などの基板の表面の複数の場所から接着剤残留物を洗浄する方法を記載する流れ図である。動作３０１において、方法３００は、図２Ａ〜図２Ｃに記載の処理システム２００などの処理システムの基板支持体に基板を位置付けることを含む。
【００３２】
動作３０２において、方法３００は、複数の洗浄ユニットの端部を対応する複数の場所で基板の表面に封止することを含む。ここで、複数の洗浄ユニットの端部を基板の表面に封止することには、洗浄ユニットに配置された複数のガスケットが基板の表面に密封的に接触するまで、基板支持体を持ち上げることまたは流体分配アセンブリを下げることの一方または両方が含まれる。
【００３３】
動作３０３において、方法３００は、複数の洗浄ユニットを通して洗浄流体を流すことを含む。いくつかの実施形態では、洗浄流体は、有機溶媒を含む。例えば、いくつかの実施形態では、洗浄流体は、ジメチルスルホキシド、１−フェノキシプロパン−２−オール、１−メチル−２−ピロリジノン、２−フェノキシエタノール、４−ノニルフェノール、分枝型、エトキシレーテッド、ジクロルメタン、ジメチルホルムアミド、ジクロルメタン、メタノール、または水素化精製軽質留出物（水素化精製石油留出物）のうちの１つまたはそれらの組合せを含む。いくつかの実施形態では、洗浄流体は、表１に記載の組成物Ａ〜Ｄのうちの１つまたはそれらの組合せを含む。
【００３４】
【表１】
2021532404.tif 000003
【００３５】
動作３０４において、方法３００は、基板の表面を複数の場所で洗浄流体にさらすことを含む。いくつかの実施形態では、方法３００は、約５０℃と約１６０℃の間、例えば、約５０℃と約１５０℃の間、または約９０℃と約１５０℃の間などに洗浄流体を加熱することをさらに含む。いくつかの実施形態では、方法３００は、洗浄流体を洗浄流体源容器に再循環させることをさらに含む。いくつかの実施形態では、方法３００は、リンス流体を複数の洗浄ユニットに流すこと、および基板の表面を複数の場所でリンス剤にさらすことをさらに含む。いくつかの実施形態では、方法３００は、乾燥ガスを複数の洗浄ユニットに流すこと、および基板の表面を複数の場所で乾燥ガスにさらすことをさらに含む。
【００３６】
一般に、ガスケットは、その上に若干の残留の洗浄流体があることになり、それは、洗浄ユニットが基板から分離されるとき、望ましくなく、基板上に滴下する可能性がある。それゆえに、滴下を防止するために、いくつかの実施形態では、方法３００は、洗浄ユニットを基板の表面から分離する間洗浄ユニットの真空を維持することをさらに含む。
【００３７】
本明細書に記載の方法および処理システムは、有利には、ＥＵＶリソグラフィマスクの表面からペリクル接着剤残留物を除去しやすくするために、ＥＵＶリソグラフィマスクの表面の選択した場所に溶媒を送り出すことを可能にする。さらに、本明細書で使用される溶媒は、ＥＵＶリソグラフィマスクの吸収体層に望ましくない損傷を引き起こすことがあるので、選択した場所に溶媒を送り出すことにより、リソグラフィマスクに配置された壊れやすいパターン化表面に望ましくない損傷を引き起こすことなしに、比較的攻撃的な溶媒を使用してリソグラフィマスクからペリクル接着剤を除去することが容易になる。
【００３８】
前述は本開示の実施形態に関するが、本開示の他のおよびさらなる実施形態を、本開示の基本的な範囲から逸脱することなく考案することができ、本開示の範囲は、以下の特許請求の範囲によって決定される。
【図１Ａ】
2021532404.tif 000004
【図１Ｂ】
2021532404.tif 000005
【図２Ａ】
2021532404.tif 000006
【図２Ｂ】
2021532404.tif 000007
【図２Ｃ】
2021532404.tif 000008
【図３】
2021532404.tif 000009
【手続補正書】
【提出日】令和3年1月20日(2021.1.20)
【手続補正１】
【補正対象書類名】特許請求の範囲
【補正対象項目名】全文
【補正方法】変更
【補正の内容】
【特許請求の範囲】
【請求項１】
基板を処理する方法であって、
処理システムの基板支持体に基板を位置付けることと、
複数の洗浄ユニットの個々のものを対応する複数の場所で前記基板の表面に封止することと、
洗浄流体を約５０℃と約１５０℃との間の温度に加熱することと、
前記洗浄流体を前記複数の洗浄ユニットに流し、続いて、その後、前記複数の洗浄ユニットから流すことと、
前記基板の前記表面を前記複数の場所で前記洗浄流体にさらすことと
を含み、前記処理システムが、
処理容積に配置された前記基板支持体と、
前記基板支持体の基板受取り面に面する流体分配アセンブリであり、前記流体分配アセンブリが、
入口および出口を有する分配シャフト、
前記分配シャフトに結合されたマニホールド、ならびに
前記マニホールドに結合された前記複数の洗浄ユニット
を含む、流体分配アセンブリと
を含む、方法。
【請求項２】
前記洗浄流体が、ジメチルスルホキシド、１−フェノキシプロパン−２−オール、１−メチル−２−ピロリジノン、２−フェノキシエタノール、４−ノニルフェノール、ジクロルメタン、ジメチルホルムアミド、ジクロルメタン、メタノール、石油留出物、またはそれらの組合せのうちの１つを含む、請求項１に記載の方法。
【請求項３】
前記基板が、
複数の繰り返しの金属およびシリコン層を含む多層スタックと、
前記多層スタック上に配置されたパターン化吸収体層と
を含む、請求項１に記載の方法。
【請求項４】
前記複数の洗浄ユニットの各々が、
第１の導管と、
前記第１の導管内に配置された第２の導管であり、前記第２の導管の端部が前記第１の導管の端部から引っ込められている、第２の導管と、
前記第１の導管の前記端部に配置されたガスケットと
を含む、請求項１に記載の方法。
【請求項５】
前記第１の導管および前記第２の導管が、前記分配シャフトの前記入口から前記出口まで延びる流体流れ経路の一部分を画定する、請求項４に記載の方法。
【請求項６】
前記複数の洗浄ユニットの個々のものを前記基板の前記表面に封止することは、前記洗浄ユニットの各々の前記ガスケットが前記基板の前記表面に密封的に接触するまで、前記基板支持体を持ち上げることを含む、請求項１に記載の方法。
【請求項７】
前記複数の洗浄ユニットの個々のものを前記基板の前記表面に封止することは、前記洗浄ユニットの各々の前記ガスケットが前記基板の前記表面に密封的に接触するまで、前記流体分配アセンブリを下げることを含む、請求項１に記載の方法。
【請求項８】
基板を処理する方法のための命令が格納されたコンピュータ可読媒体であって、前記方法が、
処理システムの基板支持体に前記基板を位置付けることと、
複数の洗浄ユニットを対応する複数の場所で前記基板の表面に封止することと、
洗浄流体を約５０℃と約１５０℃との間の温度に加熱することと、
前記洗浄流体を前記複数の洗浄ユニットに流し、その後、前記複数の洗浄ユニットから流すことと、
前記基板の前記表面を前記複数の場所で前記洗浄流体にさらすことと
を含み、前記処理システムが、
処理容積に配置された前記基板支持体と、
前記基板支持体の基板受取り面に面する流体分配アセンブリであり、前記流体分配アセンブリが、
入口および出口を有する分配シャフト、
前記分配シャフトに結合されたマニホールド、ならびに
前記マニホールドに結合された前記複数の洗浄ユニット
を含む、流体分配アセンブリと
を含む、コンピュータ可読媒体。
【請求項９】
前記複数の洗浄ユニットのうちの１つまたは複数が、
第１の導管と、
前記第１の導管内に配置された第２の導管であり、前記第２の導管の端部が前記第１の導管の端部から引っ込められている、第２の導管と、
前記第１の導管の前記端部に配置されたガスケットと
を含む、請求項８に記載のコンピュータ可読媒体。
【請求項１０】
前記第１の導管および前記第２の導管が、前記分配シャフトの前記入口から前記出口まで延びる流体流れ経路の一部分を画定する、請求項９に記載のコンピュータ可読媒体。
【請求項１１】
前記複数の洗浄ユニットの個々のものを前記基板の前記表面に封止することは、前記洗浄ユニットの各々の前記ガスケットが前記基板の前記表面に密封的に接触するまで、前記基板支持体を持ち上げることを含む、請求項１０に記載のコンピュータ可読媒体。
【請求項１２】
前記複数の洗浄ユニットの個々のものを前記基板の前記表面に封止することは、前記洗浄ユニットの各々の前記ガスケットが前記基板の前記表面に密封的に接触するまで、前記流体分配アセンブリを下げることを含む、請求項１０に記載のコンピュータ可読媒体。
【請求項１３】
処理容積に配置された基板支持体と、
前記基板支持体の基板受取り面に面する流体分配アセンブリであり、前記流体分配アセンブリが、
入口および出口を有する分配シャフト、
前記分配シャフトに結合されたマニホールド、ならびに
前記マニホールドに結合された複数の洗浄ユニットであり、前記基板支持体および前記流体分配アセンブリが基板処理モードで配置されるとき、前記複数の洗浄ユニットの各々が、処理されるべき基板に封止された状態になる、複数の洗浄ユニット
を含む、流体分配アセンブリと
を含む処理システム。
【請求項１４】
支持シャフトをさらに含み、前記基板支持体が前記支持シャフトに配置され、前記支持シャフトが、前記処理システムのベースを通して移動可能に配置される、請求項１３に記載の処理システム。
【請求項１５】
前記分配シャフトに結合されたアクチュエータをさらに含む、請求項１３に記載の処理システム。
【請求項１６】
前記分配シャフトの前記入口と流体連結して配置された流体ヒータをさらに含む、請求項１３に記載の処理システム。
【請求項１７】
前記複数の洗浄ユニットのうちの１つまたは複数が、
第１の導管と、
前記第１の導管内に配置された第２の導管であり、前記第２の導管の端部が前記第１の導管の端部から引っ込められている、第２の導管と、
前記第１の導管の前記端部に配置されたガスケットと
を含む、請求項１３に記載の処理システム。
【請求項１８】
前記第１の導管および前記第２の導管が、前記分配シャフトの前記入口から前記出口まで延びる流体流れ経路の一部分を画定する、請求項１７に記載の処理システム。
【国際調査報告】
2021532404.tif 000010
2021532404.tif 000011